(57)【要約】【課題】製造作業指示を示すラベル（指示ラベル）を再発行する場合、容易にそのラベルを再発行することができ、且つ、作業者等にとって再発行したラベルであることが容易に認識できるラベルを発行可能な、ラベル発行装置を提供することができる。【解決手段】ラベル発行装置は、製造作業指示を登録する登録手段と、登録手段で登録された製造作業指示を指定可能に表示する製造作業指示表示手段と、製造作業指示表示手段で同一の製造作業指示が指定されたとき、再発行であるかを報知する報知手段とを備える。【選択図】図４
2020152071.tif 000002
【特許請求の範囲】
【請求項１】
製造作業指示を登録する登録手段と、
前記登録手段で登録された前記製造作業指示を指定可能に表示する製造作業指示表示手段と、
前記製造作業指示表示手段で同一の前記製造作業指示が指定されたとき、再発行であるかを報知する報知手段とを備える
ことを特徴とするラベル発行装置。
【請求項２】
前記報知手段に対応して前記製造作業指示の発行処理を選択する選択手段を有することを特徴とする請求項１に記載のラベル発行装置。
【請求項３】
前記製造作業指示に対する編集を行う編集手段を備え、
前記編集手段を利用して前記製造作業指示を編集した場合に、前記報知手段で報知しないことを特徴とする請求項１または請求項２に記載のラベル発行装置。
【請求項４】
前記選択手段にて再発行である旨を選択したとき、製造作業指示ラベルに再発行である旨を表示する出力手段を有する
ことを特徴とする請求項２に記載のラベル発行装置。
【請求項５】
前記製造作業指示を出力したことを記憶する記憶手段を備え、
前記記憶手段で前記製造作業指示が発行済と記憶され、且つ、前記編集手段にて前記製造作業指示が未編集の場合に、前記報知手段が有効となる
ことを特徴とする請求項３に記載のラベル発行装置。
【発明の詳細な説明】
【技術分野】
【０００１】
本発明は、ラベル発行装置に関する。
【背景技術】
【０００２】
商品情報を印字したラベルを発行するラベル発行装置が知られている（例えば、特許文献１参照）。ラベル発行装置により発行されたラベルは、例えば商品に貼付される。
【先行技術文献】
【特許文献】
【０００３】
【特許文献１】特開２０１９−１０８６１号公報
【発明の概要】
【発明が解決しようとする課題】
【０００４】
例えば、店のバックヤードなどで、指示者が、作業者に製造作業指示を伝える場合に、指示者がラベル発行装置を操作し、ラベル発行装置が製造作業指示を示すラベル（指示ラベル）を発行する。作業者は製造作業指示を示すラベルを受け取り、ラベルに印字されている製造作業指示に基づいて、商品の製造作業や、パック詰め作業、調理などの作業を行う。
【０００５】
しかしながら、ラベル発行装置が指示ラベルを発行後、例えば、その指示ラベルが破損したなどの理由で、再度、同じ指示内容の指示ラベルを発行した場合、最初に発行し破損した指示ラベルがうまく破棄できていないと、作業者は、最初に発行した指示ラベルと追加発行分の指示ラベルを見て、重複した作業（例えば、指定した二倍の量の肉をカットしてしまうなど）を行ってしまう可能性があった。
【０００６】
また、指示ラベルをそのまま同じ文面で再発行した場合、最初の指示ラベルなのか、再発行された指示ラベルなのか、作業者にとって分かり難く、例えば指示ラベルが再発行分であるかを確認するための煩雑な作業を要する虞がある。
【０００７】
また、指示者がラベル発行装置を操作して、製造作業指示を示すラベル（指示ラベル）を発行する場合、ラベルを再発行する操作を、簡単に確実に行うことができるラベル発行装置が望まれている。
【課題を解決するための手段】
【０００８】
本発明のラベル発行装置は、少なくとも以下の構成を具備するものである。
ラベル発行装置は、製造作業指示を登録する登録手段と、
前記登録手段で登録された前記製造作業指示を指定可能に表示する製造作業指示表示手段と、
前記製造作業指示表示手段で同一の前記製造作業指示が指定されたとき、再発行であるかを報知する報知手段とを備えることを特徴とする。
【発明の効果】
【０００９】
本発明によれば、製造作業指示を示すラベル（指示ラベル）を再発行する場合、容易に確実にそのラベルを再発行することができ、且つ、作業者等にとって再発行したラベルであることが容易に認識できるラベルを発行可能な、ラベル発行装置を提供することができる。
また、本発明によれば、製造作業指示の再発行指示であるのか否かを操作者に確実に確認することができ、誤操作を防止することが可能なラベル発行装置を提供することができる。
【図面の簡単な説明】
【００１０】
【図１】本発明の実施形態に係るラベル発行装置の一例を示す斜視図である。
【図２】本発明の実施形態に係るラベル発行装置の電気的な機能ブロックの一例を示す図である。
【図３】製造作業指示が記載されたラベル（指示ラベル）の一例を示す図である。
【図４】図３に示したラベルと同じ製造作業指示の、再発行されたラベル（指示ラベル）の一例を示す図である。
【図５】複数の製造作業指示を１つの可変長ラベルにまとめた一例を示す図である。
【図６】図５に示したラベルと同じ製造作業指示を１つの可変長ラベルＬＶＲで再発行したラベル（指示ラベル）の一例を示す図である。
【図７】本発明の実施形態に係るラベル発行装置の制御部の機能ブロックの一例を示す図である。
【図８】ラベル発行装置のラベル発行設定画面の一例を示す図である。
【図９】ラベル発行装置の製造作業指示ラベルの一括発行中の一例を示す図である。
【図１０】発行済み表示がされたラベル発行設定画面の一例を示す図である。
【図１１】ラベル再発行の確認画面の第１具体例を示す図である。
【図１２】ラベル再発行の確認画面の第２具体例を示す図である。
【図１３】製造作業指示を変更した後の製造作業指示一覧画面の一例を示す図である。
【図１４】ラベル発行装置の編集画面の一例を示す図である。
【図１５】ラベル発行後の編集画面の一例を示す図である。
【発明を実施するための形態】
【００１１】
本発明の実施形態に係るラベル発行装置は、製造作業指示を登録する登録手段と、登録手段で登録された製造作業指示を指定可能に表示する製造作業指示表示手段と、製造作業指示表示手段で同一の製造作業指示が指定されたとき、再発行であるかを報知する報知手段とを備える。
指示ラベル発行後、その指示ラベルが少し破れてしまった等の理由で、同じ製造作業指示の指示ラベルを再発行した場合、再発行した指示ラベルを見た作業者等は、二枚目以降の指示ラベル（再発行の指示ラベル）であると容易に認識することができる。
また、このラベル発行装置は、商品情報を印字したラベルを発行することができ、且つ、上記製造作業指示を示すラベルを発行することができるものであってもよい。
【００１２】
以下、本発明の実施形態を、図面を参照しながら説明する。本発明の実施形態は図示の内容を含むが、これのみに限定されるものではない。尚、以後の各図の説明で、既に説明した部位と共通する部分は同一符号を付して重複説明を一部省略する。
【００１３】
図１に示す、本発明の実施形態に係るラベル発行装置１は、例えば、計量値付けラベル印刷装置であり、店のバックヤード等に設置され、各種商品又は商品容器に貼付するラベル（印刷媒体）や、製造作業指示を示すラベルを発行する。ラベル発行装置１は、本体部１ｂに、タッチパネル等の表示部５（表示手段）や操作入力部７を有し、本体部１ｂにラベルを発行する発行部４が設けられ、本体部１ｂの前面にラベル発行口４ａが設けられ、商品計量用の計量部３が通信可能に接続されている。なお、ラベル発行装置１が製造作業指示を示すラベルを発行する場合、ラベル発行装置１の本体部１ｂに計量部３が接続されていなくともよい。
【００１４】
図２に示すように、本発明の実施形態に係るラベル発行装置１は、制御部１１（制御手段）、記憶手段２、計量部３、発行部４（印字手段）、表示部５（表示手段）、スキャナ６、操作入力部７、通信部８、ラベル種類検出部９などを有する。
制御部１１には、バス等の通信線を介して記憶手段２、計量部３、発行部４、表示部５、スキャナ６、操作入力部７、通信部８、ラベル種類検出部９などが電気的に接続されている。
【００１５】
制御部１１は、ラベル発行装置の各構成要素を統括的に制御する。制御部１１は、例えば記憶手段２に記憶されている制御プログラムを実行することにより、本発明に係る機能をコンピュータとしてのラベル発行装置に実現する。制御部１１の機能の詳細については後述する。
【００１６】
記憶手段２は、ＲＯＭ２Ａ、ＲＡＭ２Ｂ、補助記憶装置（ＨＤＤやＳＳＤ）等により構成されている。記憶手段２は制御部１１の作業エリアとしても用いられる。また、記憶手段２は、制御プログラムを記憶する。また、記憶手段２は、各種設定情報、例えば、商品情報（商品の名称、価格、商品コード等の情報）、トレー情報、指示者や作業者に関する情報（氏名、使用言語などの情報）等を適宜関連付けて記憶する。
【００１７】
計量部３は、例えば、ロードセル等であり、商品（物品）の質量を計量し、計量結果を示す計量信号を制御部１１へ出力する。
【００１８】
発行部４は、制御部１１の制御により、商品情報などを印字したラベルや、指示者から作業者へ製造作業指示を伝えるための製造作業指示を印字したラベルを発行する。詳細には、発行部４は、サーマルヘッド等の印字ヘッド（不図示）を有し、制御部１１の制御により各種印字内容をラベルに印字する。また、発行部４は、固定長ラベル、又はラベル長が可変長の台紙レスラベル（ライナレスラベル）を発行することができる。
【００１９】
例えば、固定長ラベルは、一方の面に粘着面を有し、ラベル長が固定長のラベルが長尺の用紙に仮着されており、発行部の印字部により印字内容が印字された後、用紙とラベルを分離することで、固定長ラベルが発行部４から発行される。
【００２０】
例えば、可変長ラベルである台紙レスラベルは、一方の面に粘着面を有し、発行部の印字部により印字内容が印字された後、カッタ等の切断手段（不図示）により印字内容の量に応じた長さに切断することで、可変長ラベルが発行部４から発行される。
可変長ラベルの場合は情報量に応じた位置で適宜切ることができるので、通常の製造作業指示ラベルと再発行の製造作業指示ラベルはその都度カットするのがよい。
【００２１】
表示部５は、制御部１１の制御により、本発明に係るラベル発行装置の編集画面やラベル発行画面などを表示する。表示部５は、例えば液晶表示装置、有機ＥＬ表示装置などであってもよいし、タッチパネル等の表示装置と操作入力部が一体となった装置であってもよい。
【００２２】
スキャナ６は、バーコードや２次元コードを読み取り、読み取った結果を示す信号を制御部１１へ出力する。
【００２３】
操作入力部７は、キーボード、操作ボタン、タッチパネル、マウスなどの操作入力装置であり、操作に応じた信号を制御部１１に出力する。
【００２４】
通信部８は、制御部１１の制御により、有線式通信路又は無線式通信路を介して上位の管理コンピュータ等と通信可能に構成されている。
【００２５】
ラベル種類検出部９は、ラベル発行装置の本体部に設定されるラベルの種類を検出し、検出したラベルの種類を制御部１１に出力する。ラベルの種類としては、台紙付きのラベル用紙（固定長ラベル）、台紙レスラベル（可変長ラベル）などである。詳細には、例えば、ラベル発行装置の本体部に設置されるラベルロールに設けられたＩＣタグ、バーコード、２次元コード等から、ラベルの種類を示すラベル種類情報を読み取り、そのラベル種類情報を制御部１１に出力する。制御部１１は、ラベル種類検出部９からの信号に基づいて、ラベル発行装置の本体部に設置されたラベルの種類を判別することができる。
【００２６】
図３は製造作業指示が記載されたラベルＬ（指示ラベル）の一例を示す図である。
ラベル発行装置により発行される、製造作業指示が記載されたラベルＬには、図３に示す例では、商品の品番（００１等）、指示ラベル発行日時情報、商品の名称（豚ロース生姜焼用等）、製造予定のパック数（１５０ｇ×１５パック等）、使用トレー情報（ＴＥＲＡ−Ａ１７−３０等）、指示者から作業者への製造作業指示のコメント（お買い得シールを貼ってください等）、商品を呼び出す商品コード（バーコード）、指示者の氏名等が印字されている。バーコードの形態はＣＯＤＥ１２８、ＣＯＤＥ３９、ＮＷ７等何でもよい。
商品コードは製造に関する様々な情報を記録できる。この情報としては、例えば、品番、パック数、枚数、重量や製造日などを挙げることができる。作業者がバーコードリーダー等でこの商品コードを読み込むことにより、ラベル発行装置や上位管理装置等と連携して製造作業指示の確認等に使用できる。さらに、製造が終了したときのラベル発行時の呼出し用やパック数入力用の商品コードとしても使える。
商品コードに品番とパック数を紐づけておけば、その日の総生産数や残りの残数、ＰＯＳ端末の情報から出た数に対してどの程度陳列されているのかの判断も可能である。
また、商品コードの先頭数字を発行枚数情報として印字しておけば作業者は数字からも判断できる。図４の例では商品コードのバーコードの先頭０２は２枚目であることがわかる。
【００２７】
図４は図３に示したラベルと同じ製造作業指示の、再発行されたラベルＬＲ（再発行指示ラベル）の一例を示す図である。
ラベル発行装置により発行される、製造作業指示が記載されたラベルＬＲには、図４に示す例では、図３に示す例と同じ指示内容である、商品の品番、指示ラベル発行日時情報、商品の名称、製造予定のパック数、使用トレー情報、指示者から作業者への製造作業指示のコメント、発行枚数や品番やパック数等の商品コード、指示者の氏名等が印字されており、さらに、「２枚目」などの再発行であることを示す再発行表示部ＬＲａ、「１枚目発行時刻  １４：１０：００」などの１枚目のラベル（最初の指示ラベル（再発行の元のラベル））の発行時刻情報表示部ＬＲｂ等が印字されている。
再発行表示部ＬＲａは、例えば、白黒反転表示であってもよいし、網掛け表示、通常印字部分と異なる色の印字表示、等であってもよい。また、再発行表示部ＬＲａは、再発行の回数に応じて「３枚目」、「４枚目」、・・・等と表示してもよい。
また、２枚目であっても、指示者からの同じ製造作業指示で２度目の発行であることがわかっている場合にはそれがわかるような表示があってもよい。
固定長ラベルの場合は一枚ごとに再発行表示部を設ける必要がある。ラベルを一枚一枚はがして使う可能性があるので、作業者が見落とさないためである。
制御部１１は、発行部４により、上記指示ラベルや、再発行の指示ラベルを発行する処理を行う。
【００２８】
図５は複数の製造作業指示を１つの可変長ラベルＬＶにまとめた一例を示す図である。図６は図５に示したラベルと同じ製造作業指示を１つの可変長ラベルＬＶＲで再発行したラベル（指示ラベル）の一例を示す図である。
ラベル発行装置１の制御部１１は、ラベル種類検出部９（判定手段）により、本体部１ｂに設けられたラベルの種類が固定長ラベルと検出した場合、一枚の固定長ラベルに一件の製造作業指示を発行部４により印刷する処理を行う。
また、制御部１１は、ラベル種類検出部９（判定手段）によりラベルの種類を可変長ラベル（台紙レスラベル）と判定した場合に、固定長ラベルで印刷したときに発生する余白部分、及びラベルギャップの長さ部分を縮小して、可変長ラベルに複数の製造作業指示を発行部４により印刷する処理を行う。例えば、図５に示すように、複数の製造作業指示をまとめて１つ可変長ラベルＬＶが発行される。可変長ラベルでは、固定長ラベルと比べて、ラベルの使用量を低減することができる。
また、図６に示すように、再発行の可変長ラベルＬＶＲには、さらに、「２枚目」などの再発行であることを示す再発行表示部ＬＲａ、「１枚目発行時刻  １４：１０：００」などの１枚目のラベル（最初の指示ラベル）の発行時刻情報表示部ＬＲｂ等が印字されている。
特に、可変長ラベルである台紙レスラベルでは、再発行表示部をラベルのヘッダ部分にわかりやすく表示するのが好ましい。台紙レスラベルは内容量によってラベルの長さが変わるため、常にヘッダに再発行表示部を設ければ作業者の見落としを防ぐことができる。
なお、再発行表示部をラベルのフッタに設けてもよい。
【００２９】
また、発行の設定において図５の複数の製造作業指示に１枚または複数枚の再発行の製造作業指示が混ざる場合も可能である。その場合は例えば、最初に再発行するラベルをまとめて発行するか、又は最後にまとめて発行することが好ましい。通常の製造作業指示ラベルと再発行の製造作業指示ラベルが混在すると、現場の作業者が混乱する可能性があるからである。
【００３０】
図７は本発明の実施形態に係るラベル発行装置の制御部１１の機能ブロックの一例を示す図である。
制御部１１は、登録手段１１１、製造作業指示表示手段１１２、第１の出力手段１１３、第２の出力手段１１４、報知手段１１５、編集手段１１６、選択手段１１７等を有する。制御部１１は、例えば、記憶部に記憶されているプログラムを実行することにより、上記各機能をコンピュータとしてのラベル発行装置に実現する。
【００３１】
登録手段１１１は、商品ごとの製造作業指示を登録する処理を行う。
【００３２】
製造作業指示表示手段１１２は、登録手段１１１で登録された製造作業指示を表示する処理を行う。
【００３３】
第１の出力手段１１３は、製造作業指示一覧画面を表示しているときに、製造作業指示を出力する（発行部４により製造作業指示を示すラベルを発行する、ラベルの印字イメージを表示部に表示する等）ための手段である。
また、報知手段１１５にて再発行である旨を確認したとき、第１の出力手段１１３にて再発行である旨を出力する。詳細には、第１の出力手段１１３は、発行部４による印字、表示部５による表示等の処理を行う。
【００３４】
第２の出力手段１１４は、ラベル発行を行うために商品情報を表示している値付画面のときに、製造作業指示を出力する（発行部４により製造作業指示を示すラベルを発行する、ラベルの印字イメージを表示部に表示する等）ための手段である。
【００３５】
報知手段１１５は、第１の出力手段１１３で製造作業指示を出力するときに、再発行であるかを確認する。また、第１の出力手段１１３で製造作業指示を出力したことを記憶する記憶手段２で製造作業指示が発行済と記憶され、且つ、編集手段１１６にて製造作業指示が未編集のときに、報知手段１１５が有効となるように構成されている。
【００３６】
編集手段１１６は、製造作業指示に対する編集を行う。この編集手段１１６は、第２の出力手段１１４で製造作業指示を出力するとき、必ず編集手段１１６が有効となるように構成されている。第２の出力手段では値付画面からの追加発行時にのみ実行でき、製造作業発行後は発行枚数を０とする。このようにすることで２回連続発行される操作ミスなどを防止することができる。指示製造数については毎回指定した上で発行するようにする。ただし、同一の数を再度（連続）入力したときは報知するようにしてもよい。
【００３７】
選択手段１１７は、前記報知手段に対応して前記製造作業指示の発行処理を選択する処理を行う。
【００３８】
次に、ラベル発行装置の動作の一具体例を図８〜図１５等を参照しながら説明する。図８に示した製造作業指示一覧画面は、製造作業指示予約マスター設定表示部Ｄ２１、表示対象選択表示部Ｄ２２、発行ボタンＢ２３（一括発行ボタン）、編集ボタンＢ２４、製造作業指示一覧表示部Ｄ２５などを有する。
【００３９】
製造作業指示予約マスター設定表示部Ｄ２１には、予約マスター番号が設定可能に表示され、各製造作業指示が「未製造」又は「製造」であるか等が表示されている。
【００４０】
表示対象選択表示部Ｄ２２には、一覧表示する対象が設定可能に表示しており、図１０に示す例では「全て」が選択、表示されている。
【００４１】
発行ボタンＢ２３は、製造作業指示を示すラベルを発行する際に操作される操作ボタンであり、制御部１１は、製造作業指示の一覧のうち選択された製造作業指示のラベル（指示ラベル）だけを発行してもよいし、一覧表示された全ての製造作業指示のラベル（指示ラベル）を一括して発行してもよい。
【００４２】
編集ボタンＢ２４は、製造作業指示を編集する際に操作される操作ボタンであり、制御部１１は、編集ボタンＢ２４が操作された場合、製造作業指示の編集画面を表示部に操作可能に表示する。上述したように、製造作業指示を１つ又は複数選択し、選択された製造作業指示を示すラベルを発行してもよいし、全ての製造作業指示を示すラベルを一括で発行してもよい。
【００４３】
指定手段としての製造作業指示一覧表示部Ｄ２５には、記憶手段に記憶されている、製造作業指示の一覧が選択可能に表示されている。
一覧表の中ですでに発行している製造作業指示がある場合には表の製造作業指示欄を白抜き文字にしたり斜線で表示したりすることで指示者が発行したことの確認ができ、さらに一旦発行済であっても製造作業指示に変更があった場合には元に戻すことで新規の製造作業指示であることを確認できる。
【００４４】
図８は一括発行の画面である。一括発行ボタンＢ２３を押下すると一括発行確認ポップアップが表示されるので、確認ボタン（不図示）を押すと製造作業指示一覧表示部Ｄ２５内の未発行の指示を全て発行することができる。一括発行が始まると、図９のように一括発行中のポップアップを表示する。中止ボタンが操作された場合、制御部は発行を中止する処理を行う。
一括発行は指示者に未発行の製造作業指示ラベルを一括で発行できるメリットがあるとともに、その中に再発行の製造作業指示ラベルがある場合には再発行かを確認できる表示が出るので重複発行を防ぐことができるメリットがある。
【００４５】
また、図１０に示すように、製造作業指示一覧表示部Ｄ２５において、ラベル発行済みの製造作業指示には、「発行済み」であることを示すように、例えば白黒反転表示、網掛け表示、通常の表示色とは異なる色表示など、「発行済み」と「未発行」が区別可能に表示される。制御部は、製造作業指示が発行済みであるか未発行であるかを記憶手段に記憶させる。
【００４６】
図１１はラベル再発行の確認画面の第１具体例を示す図である。
本発明の実施形態に係るラベル発行装置では、一度、所定の製造作業指示を選択して指示ラベルを発行後、例えば、指示ラベルの破損等が発生するなどして、再度、同じ内容（同じリスト番号）の製造作業指示を選択して発行可能である。
その際、制御部１１は、図１１に示す例では、例えば番号２の製造作業指示が発行済みであることを表示し（報知手段１１５）、製造作業指示ラベルを再発行するか、中止するかを選択可能な画面を操作可能に表示する処理を行う。つまり、報知手段１１５は、製造作業指示表示手段１１２で同一の製造作業指示が指定されたとき、再発行であるかを報知する。
また、制御部１１は、報知手段１１５に対応して製造作業指示の発行処理を選択する選択手段１１７を有する。
図１１に示した、はいボタンＢ３１、いいえボタンＢ３２は、上記選択手段１１７の一例である。
詳細には、はいボタンＢ３１が操作された場合、制御部１１は、その選択された製造作業指示を示すラベル（指示ラベル）を、例えば図４に示すように、ラベルに再発行であることを示す表示、具体的には「２枚目」、一枚目発行時刻等を追加して再発行する処理を行う。
つまり、制御部１１は、上記選択手段１１７にて再発行である旨を選択した場合に、製造作業指示ラベルに再発行である旨を表示する出力手段（第１の出力手段１１３）を有する。
図１１に示した、いいえボタンＢ３２が操作された場合、制御部１１はラベルの再発行を中止する。
新規発行したい場合、数量を更新したことを条件に発行できることを「いいえ」のボタン押下後にメッセージ等で操作案内をしてもよい。
【００４７】
また、ラベル発行装置は、図１２に示すように、さらに、新規発行ボタンＢ３３を操作可能に表示してもよい。この新規発行ボタンＢ３３は、同じ製造作業指示を新規で発行する際に操作される操作ボタンである。制御部１１は、新規発行ボタンＢ３３が操作された場合、ラベルに再発行であることを示す印字を行わずに、その製造作業指示を示す指示ラベルを発行する処理を行う。
すなわち、同内容の製造作業指示を新規でラベルを発行する場合、簡単な操作により、再発行表示せずに、新規で指示ラベルを発行することができる。
【００４８】
図１３は、製造作業指示を変更した後の製造作業指示一覧画面の一例を示す図である。
例えば、図１０に示すように、一覧の１番目と２番目の製造作業指示のラベルが発行済みであり、２番目の製造作業指示の内容を変更した場合、発行済情報はクリアされ、図１３に示すように、「発行済み」であることを示す表示を「未発行」であるように表示を変更する。例えば「発行済み」を示す白黒反転表示、網掛け表示、通常の表示色とは異なる色表示などを、「未発行」を示すように通常表示に変更する。
図１３に示す例では、一覧の２番目の製造作業指示の製造トレーを小トレーから中トレーに変更した場合を示している。前述のように数量を同じ値で変更した場合でも「未発行」の表示に切り替えてもよい。
例えば、この一覧の２番目の製造作業指示のラベルを発行する場合、制御部は「２枚目」等の再発行表示を行わずに、指示ラベルを発行する処理を行う。
【００４９】
図１４はラベル発行装置の値付画面で編集する場合の一例を示す図である。
図１４に示す例では、ラベル発行装置の製造作業指示のラベルの設定画面（値付け画面を兼ねている）は、現在日時表示部Ｄ１、商品の名称設定表示部Ｄ２、商品コード設定表示部Ｄ３、内容量設定表示部Ｄ４、内容量単位設定表示部Ｄ５、風袋量設定表示部Ｄ６、重さ設定表示部Ｄ７、単価設定表示部Ｄ８、値段設定表示部Ｄ９、印字イメージ表示領域Ｄ１０、製造作業指示の設定画面を終了するための製造作業指示終了ボタンＢ１、製造数設定表示部Ｄ１１、トレー設定表示部Ｄ１２、製造コメント設定表示部Ｄ１３、印字イメージの言語表示を切替えるための言語表示切替えボタンＢ２、設定モードを終了するための終了ボタンＢ３、各種モード切替えボタン（ＦモードボタンＢＦ、ＬモードボタンＢＬ、ＭＪモードボタンＢＭＪ）等を有する。値付画面でＭＪモードボタンＢＭＪを押下すると製造作業指示一覧画面（図８）へと移行する。
製造数は初期値０で必ず入力後に発行する。製造数設定表示部Ｄ１１からの入力と印字イメージ表示領域Ｄ１０の印字イメージの数量の表示領域をタッチしても入力できるようにしてもよい。
【００５０】
印字イメージ表示領域Ｄ１０には、製造作業指示のラベルの印字イメージが表示されており、その表示領域の下部分に更新日時が表示され、「製造作業指示ラベル」が表示されている。
図１４は値付けの操作ができる画面でもあるがこの画面からでも製造作業指示ラベルの発行指示ができることで値付けの操作終了後すぐに発行ができる。
ここでの発行操作はメカキーの発行ボタン押下や画面上で通常の値付けラベル発行と同じ方法をおこなう。発行中はポップアップ表示を出してもよい。
図１４の発行動作は、通常の値付けラベルの発行動作と同じ操作を行わせることで指示者が操作しやすいようにしている。
ただし、図１４の値付画面は図８の製造作業指示一覧画面に示すように一括発行するわけでないので一括発行のような表示を出さないが発行動作が値付けラベルの発行時とは異なるので、製造作業指示ラベルの発行開始後は画面最下部のステータスバーに「製造作業指示中」と点滅表示させる。
【００５１】
製造作業指示一覧画面（図８）は新規発行するときは編集をしないと発行出来ず、同じ数量を再発行するときでも新しく数量を更新する必要がある。
一方、値付画面では新規再発行で同一の数量でも新規発行できる。その場合に連続で同じ数量を発行する場合や呼出した商品の数量と今回の数量が同じ場合には指示者に同じ数であることの表示や報知をしてもよい。
【００５２】
指示者が製造作業指示一覧画面（図８）と値付画面（図１４）のどちらで操作しているか理解できるように背景の色を変えたりしてもよい
【００５３】
各設定表示部の内容は、操作入力部のタッチパネルやキーボード等により、指示者である操作者が適宜設定可能である。
制御部１１は、操作入力部からの信号に応じて各設定を変更し、その設定に基づいて製造作業指示を示すラベルの印字イメージを生成し、印字イメージ表示領域Ｄ１０に表示する処理を行う。
詳細には、印字イメージ表示領域Ｄ１０には、製造作業指示のラベルの印字イメージが表示されており、その表示領域の下部分に更新日時が表示され、「製造作業指示ラベル」の印字イメージが表示されている。
【００５４】
ラベル発行設定は、製造作業指示一覧画面（図８）に示した製造作業指示予約マスター設定表示部Ｄ２１で行うが、図１４のラベル値付けの完了後に併せて追加の製造作業指示を設定できるようにしてもよい。操作者が値付け後に製造作業指示用の画面に移る必要もなく、スムーズに作業を完了することができる。
【００５５】
図１５はラベル発行後の値付画面の一例を示す図である。
また、本発明の実施形態に係るラベル発行装置では、Ｆタブ（通常値付けを行うタブ）内で「製造作業指示開始」ボタンを操作された場合、制御部１１は、現在の呼び出し中の商品データの値に基づいて製造作業指示を発行する処理を行う。この画面は追加での作業指示を行うことを想定した画面なので、指示ラベルに「二枚目」表示を行わない。他の商品データを呼び出す場合は所有のコードを入力して呼び出すこともできる。
ただし、本発明の実施形態に係るラベル発行装置では、二回連続で発行ボタンが押されて意図せず同じラベルを出すことを防ぐために、以下の動作を行う。
【００５６】
詳細には、図１４に示すように、例えば製造数設定表示部Ｄ１１に「６」を設定した場合、印字イメージ表示領域Ｄ１０に、「６パック」の表示がされたラベルの印字イメージが表示され、発行ボタン（不図示）が操作された場合、制御部は、印字イメージに基づいて、製造作業指示ラベルを発行部４により発行する処理を行う。
製造作業指示ラベルが発行された後、制御部１１は、図１５に示すように、自動的に指示製造数を「０」に変更して、製造数設定表示部Ｄ１１に表示する。「０」ではなく初期設定状態に戻したり「Ｎｕｌｌ」に変更したりしてもよい。
製造数０は、現在は「数を指定せずとにかく発行を指示する（作れるだけ作るなどを想定）」の動きですが、スペック設定などにより指示数がなければラベルが発行できないなども選択可能にすることで、二回連続での同一の製造作業指示を示すラベル（指示ラベル）の発行を防ぐことができる。製造数は「０」だけでなく「Ｎｕｌｌ桁」、「Ａｌｌ」、「９９９９」などでも可能である。
図１４の画面では製造作業指示終了ボタンＢ１を押すまでは品番切り替えで製造作業指示のラベルを発行できる。
【００５７】
以上、説明したように、本発明の一実施形態に係るラベル発行装置１は、製造作業指示を登録する登録手段１１１（例えば図１４参照）と、登録手段１１１で登録された製造作業指示を指定可能に表示する製造作業指示表示手段１１２（例えば図７，図８参照）と、製造作業指示表示手段１１２で同一の製造作業指示が指定されたとき、詳細には以前に指定され且つ発行された製造作業指示と同一の製造作業指示が指定されたとき、再発行であるかを報知する報知手段１１５（例えば図７，図１１参照）とを備える。
すなわち、本発明によれば、以前に指定され且つ発行された製造作業指示と同一の製造作業指示が指定されたとき、操作者にその指定が再発行であるか否かを確実に報知するラベル発行装置１を提供することができる。つまり、製造作業指示の再発行指示であるのか否かを操作者に確実に確認することができ、誤操作を防止することが可能なラベル発行装置を提供することができる。
【００５８】
また、本発明の実施形態に係るラベル発行装置１は、報知手段１１５に対応して上記製造作業指示の発行処理を選択する選択手段１１７（例えば図７，図１１，図１２参照）を有する。詳細には、選択手段１１７は、図１１、図１２に示した、はいボタンＢ３１、いいえボタンＢ３２等の操作可能に表示された操作ボタンを有する。
すなわち、製造作業指示を示すラベルの再発行、又は再発行中止などを操作者に容易に選択させるラベル発行装置１を提供することができる。
【００５９】
また、このラベル発行装置１は、表示部５、発行部４、製造作業指示表示手段１１２から商品を指定して製造作業指示を出力する（発行部４により印字、発行する等）第１の出力手段１１３（例えば図７，図８参照）、ラベル発行を行うために商品情報を表示しているときに、製造作業指示を出力する（発行部４により印字、発行する等）第２の出力手段１１４（例えば図７，図１４参照）等を有する。
すなわち、製造作業指示を示すラベル（指示ラベル）を再発行する場合、容易にそのラベルを再発行することができ、且つ、作業者等にとって再発行したラベルであることが容易に認識できるラベルを発行可能な、ラベル発行装置１を提供することができる。
【００６０】
また、ラベル発行装置１が第１の出力手段１１３でラベルを再発行する場合、再発行であるので、その旨を印字してラベルを発行することで、作業者に複数枚出力されているのを確実に報知することができる。また、第２の出力手段１１４でラベルを発行する場合には編集された後の新規のラベル発行であるので、再発行分のラベル（指示ラベル）には再発行の印字はしないようにする。これにより、ラベルの再発行がわかりやすく、簡単な操作でラベル（指示ラベル）を発行することができる、ラベル発行装置１を提供することができる。
【００６１】
また、本発明の実施形態に係るラベル発行装置１は、製造作業指示に対する編集を行う編集手段１１６（例えば図７，図１４参照）を備え、編集手段１１６により製造作業指示が編集された場合に、制御部１１は、報知手段１１５で報知しない。
すなわち、製造作業指示が編集された場合、その編集された製造作業指示が製造作業指示表示手段により指定されたとしても、報知手段１１５による再発行であるか否かの報知を行わないので、誤操作等を防止するラベル発行装置１を提供することができる。
また、ラベル発行装置１は、第２の出力手段１１４で製造作業指示を出力するとき、編集手段１１６が有効となる。第２の出力手段１１４は例えば編集画面であり、容易に編集作業を行うことができる。なお、実際は編集が必要ではなくとも、第２の出力手段１１４は「追加発行専用」となる。よって、詳細には強制的に編集画面を表示することで、ラベルの記載内容を編集したことにする。
【００６２】
また、本発明の実施形態に係るラベル発行装置１は、報知手段１１５にて再発行である旨を選択したとき、製造作業指示ラベルに再発行である旨を表示する出力手段（第１の出力手段１１３）を有する。
すなわち、出力手段（第１の出力手段１１３）により、ラベルに再発行であることがわかる表示（例えば網掛け表示、白黒反転表示等の区別可能な表示）やマーク等を印字することで、作業者にその指示ラベルが再発行であることを容易に認識させることができる。
【００６３】
また、本発明の実施形態に係るラベル発行装置１は、報知手段１１５にて再発行である旨を確認したとき、第１の出力手段１１３が最初に発行した製造作業指示を出力する（発行部４により印字、発行する等）。
すなわち、再発行した指示ラベルに、最初に指示ラベルを発行した時間や指示者（発行者）の氏名等を印字することで、作業者は再発行した指示ラベルを見ることで、その再発行した指示ラベルの内容を指示者に確認する等、容易に確認作業を行うことができる。
なお、ラベル発行装置は、例えば、当日の累積製造枚数と再発行の製造枚数をラベルに印字してもよく、この場合、現在の状況を容易に確認することができる。よって、紛失したラベル（重複した内容）がみつかっても、製造指示を重複して作業することを防止することができる。
【００６４】
また、本発明の実施形態に係るラベル発行装置１は、第１の出力手段１１３で製造作業指示を出力したことを記憶する記憶手段２（ＲＯＭ２Ａ，ＲＡＭ２Ｂ等）を備え、記憶手段２で製造作業指示が発行済と記憶され、且つ、編集手段にて前記製造作業指示が未編集のときに、報知手段１１５が有効となる。
すなわち、ラベルを発行したことを画面上で分かるように表示し、編集手段１１６で未編集であれば再発行に該当するので、再発行の注意を促すことができる。
なお、第１の出力手段１１３は、例えば製造作業指示を示すラベルの製造作業指示一覧画面である。この発行画面には発行履歴を記憶する機能があり、例えば一定期間（１日）発行すると発行済フラグが付与される。よって、２回以降は、同じ印字内容であれば再発行の可能性があるので、確認手段が行われる。製造作業指示が編集されていれば新規発行とする。具体的には、例えば指示数を間違えてしまい、製造作業指示を示すラベルを再発行する場合、間違えて発行した指示ラベルに関し、発行した操作者（指示者）は間違いを把握しているのでその指示ラベルを破棄する。
【００６５】
また、本実施例では重複する指示ラベルを発行する際に報知する場合を示したがこれに限られない。製造作業指示ラベルを発行後、作業者がラベルに記載のバーコードを読み込んだ際に報知してもよい。作業者が製造指示作業ラベルを見落とす場合があってもバーコードは枚数やパック数を情報として保持しているので、作業開始前や開始後においてバーコードを読み込んだ際に画面で報知することで、製造作業が重複しているか確認することができる。さらに、その指示が指示者からの同一内容の２回目以上の指示の場合でも確認することができる。
また、バーコードチェッカーで再発行のラベルを読み込んだ際に、音声で「再発行」を報知することや音で作業者に認識させることも可能である。
【００６６】
以上、本発明の実施形態について図面を参照して詳述してきたが、具体的な構成はこれらの実施形態に限られるものではなく、本発明の要旨を逸脱しない範囲の設計の変更等があっても本発明に含まれる。
また、上述の各図で示した実施形態は、その目的及び構成等に特に矛盾や問題がない限り、互いの記載内容を組み合わせることが可能である。
また、各図の記載内容はそれぞれ独立した実施形態になり得るものであり、本発明の実施形態は各図を組み合わせた一つの実施形態に限定されるものではない。
【符号の説明】
【００６７】
１…ラベル発行装置
２…記憶手段
２Ａ…ＲＯＭ
２Ｂ…ＲＡＭ
４…発行部
５…表示部（表示手段）
７…操作入力部
１１…制御部（制御手段）
１１１…登録手段
１１２…製造作業指示表示手段
１１３…第１の出力手段
１１４…第２の出力手段
１１５…報知手段
１１６…編集手段
１１７…選択手段
【図１】
2020152071.tif 000003
【図２】
2020152071.tif 000004
【図３】
2020152071.tif 000005
【図４】
2020152071.tif 000006
【図５】
2020152071.tif 000007
【図６】
2020152071.tif 000008
【図７】
2020152071.tif 000009
【図８】
2020152071.tif 000010
【図９】
2020152071.tif 000011
【図１０】
2020152071.tif 000012
【図１１】
2020152071.tif 000013
【図１２】
2020152071.tif 000014
【図１３】
2020152071.tif 000015
【図１４】
2020152071.tif 000016
【図１５】
2020152071.tif 000017